【手続補正書】
【提出日】平成29年2月20日(2017.2.20)
【手続補正１】
【補正対象書類名】特許請求の範囲
【補正対象項目名】全文
【補正方法】変更
【補正の内容】
【特許請求の範囲】
【請求項１】
少なくとも1種の細胞組成物、及び胎盤細胞外マトリクス(ECM)を含む、3次元組織を形成するための組成物であって、
該組成物が、該少なくとも1種の細胞組成物、及び胎盤ECMを対象内の又は上の表面上に沈着させることによって、該3次元組織を形成するように使用される、前記組成物。
【請求項２】
前記細胞組成物及び前記ECMが両方とも、前記表面上に沈着されるか、又は
前記細胞組成物及び前記ECMが両方とも、前記表面上に印刷される、請求項１記載の組成物。
【請求項３】
前記表面が、人工表面であるか、又は
前記表面が、脱細胞化された組織又は脱細胞化された器官である、請求項１記載の組成物。
【請求項４】
前記表面が、人工表面であり、該人工表面が、人工装具又は構造である、請求項３記載の組成物。
【請求項５】
前記表面が、前記対象の外側上の表面であるか、又は
前記表面が、前記対象の内側内の表面である、請求項１〜４のいずれか一項記載の組成物。
【請求項６】
前記表面が、前記対象の体腔、骨、又は器官内の表面である、請求項５記載の組成物。
【請求項７】
表面マップを形成するために前記対象内又は上の前記表面を走査すること、及び
該表面マップを使用し、前記沈着をガイドすることを更に含む、
請求項１〜６のいずれか一項記載の組成物。
【請求項８】
前記走査が、レーザー、電子線、磁気共鳴画像法、電磁波、x-線、又はコンピュータ断層撮影法の使用を含む、請求項７記載の組成物。
【請求項９】
前記ECMが、テロペプチド胎盤コラーゲンを含む、請求項１記載の組成物。
【請求項１０】
前記テロペプチド胎盤コラーゲンが、塩基処理され、界面活性剤処理されたI型テロペプチド胎盤コラーゲンを含む、請求項９記載の組成物。
【請求項１１】
前記コラーゲンが、化学修飾されていないか又はプロテアーゼと接触されていない、請求項９又は１０記載の組成物。
【請求項１２】
前記胎盤ECMが、化学修飾されていないか又はプロテアーゼと接触されていない、塩基処理された及び／又は界面活性剤処理されたI型テロペプチド胎盤コラーゲンを含み、ここで該ECMが、フィブロネクチン5重量％未満又はラミニン5重量％未満；I型コラーゲン25重量％〜92重量％；及び、III型コラーゲン2重量％〜50重量％又はIV型コラーゲン2重量％〜50重量％を含むか、又は
前記胎盤ECMが、化学修飾されていないか又はプロテアーゼと接触されていない、塩基処理され、界面活性剤処理されたI型テロペプチド胎盤コラーゲンを含み、ここで該ECMが、フィブロネクチン1重量％未満又はラミニン1重量％未満；I型コラーゲン74重量％〜92重量％；及び、III型コラーゲン4重量％〜6重量％又はIV型コラーゲン2重量％〜15重量％を含む、請求項１記載の組成物。
【請求項１３】
ヒドロゲルを沈着させることを更に含む、請求項１〜１２のいずれか一項記載の組成物。
【請求項１４】
前記ヒドロゲルが、感熱性ヒドロゲルであるか、又は
前記ヒドロゲルが、感光性ヒドロゲルである、請求項１３記載の組成物。
【請求項１５】
前記ECM及び前記ヒドロゲルが、約10:1〜1:10の重量比で組合される、請求項１３又は１４記載の組成物。
【請求項１６】
合成ポリマーを沈着させることを更に含む、請求項１〜１２のいずれか一項記載の組成物。
【請求項１７】
前記合成ポリマーが、感熱性であるか、又は
前記合成ポリマーが、感光性である、請求項１６記載の組成物。
【請求項１８】
前記合成ポリマーが、熱可塑性物質を含む、請求項１６記載の組成物。
【請求項１９】
前記合成ポリマーが、ポリ(L-ラクチド-コ-グリコリド)(PLGA)である、請求項１８記載の組成物。
【請求項２０】
前記熱可塑性物質が、ポリカプロラクトン、ポリ乳酸、ポリブチレンテレフタレート、ポリエチレンテレフタレート、ポリエチレン、ポリエステル、ポリ酢酸ビニル、又はポリ塩化ビニルである、請求項１８記載の組成物。
【請求項２１】
前記合成ポリマーが、ポリアクリルアミド、ポリ塩化ビニリジン、ポリ(o-カルボキシフェノキシ)-p-キシレン)(ポリ(o-CPX))、ポリ(無水ラクチド)(PLAA)、n-イソプロピルアクリルアミド、ペントエリスリトールジアクリレート、ポリメチルアクリレート、カルボキシメチルセルロース、又はポリ(乳酸-グリコール酸共重合体)(PLGA)である、請求項１６記載の組成物。
【請求項２２】
テナシンC又はその断片を沈着させることを更に含む、請求項１〜２１のいずれか一項記載の組成物。
【請求項２３】
チタン-アルミニウム-バナジウム(Ti6Al4V)組成物を沈着させることを更に含む、請求項１〜２２のいずれか一項記載の組成物。
【請求項２４】
前記チタン-アルミニウム-バナジウム組成物が、ファイバーの相互接続された多孔質網の形態で沈着されている、請求項２３記載の組成物。
【請求項２５】
前記テロペプチドコラーゲンが、前記沈着前に誘導体化されている、請求項９〜１２のいずれか一項記載の組成物。
【請求項２６】
前記テロペプチドコラーゲンが、1種以上の細胞接着ペプチド、細胞接着タンパク質、サイトカイン、又はグリコサミノグリカンにより誘導体化されている、請求項２５記載の組成物。
【請求項２７】
前記ECMが、細胞接着ペプチド、細胞接着タンパク質、サイトカイン、又はグリコサミノグリカンを含有するか又はこれらにより誘導体化されている、請求項１記載の組成物。
【請求項２８】
前記サイトカインが、血管内皮増殖因子(VEGF)、又は骨形態形成タンパク質(BMP)である、請求項２６又は２７記載の組成物。
【請求項２９】
前記細胞接着ペプチドが、1以上のRGDモチーフを含む細胞反応性ペプチドである、請求項２６又は２７記載の組成物。
【請求項３０】
前記細胞組成物が、骨髄由来間葉系幹細胞(BM-MSC)を含有するか、又は
前記細胞組成物が、組織培養プラスチック接着性CD34-、CD10+、CD105+、及びCD200+胎盤幹細胞を含む、請求項１〜２９のいずれか一項記載の組成物。
【請求項３１】
前記胎盤幹細胞が更に、CD45-、CD80-、CD86-、又はCD90+の1以上である、請求項３０記載の組成物。
【請求項３２】
前記胎盤幹細胞が更に、CD45-、CD80-、CD86-、及びCD90+である、請求項３１記載の組成物。
【請求項３３】
前記胎盤幹細胞が、レシピエントにおいて免疫応答を抑制する、請求項３０〜３２のいずれか一項記載の組成物。
【請求項３４】
前記胎盤幹細胞が、前記レシピエント内で免疫応答を局所的に抑制する、請求項３３記載の組成物。
【請求項３５】
(i) 前記細胞組成物が、胚性幹細胞、胚性生殖細胞、人工多能性幹細胞、間葉系幹細胞、骨髄由来間葉系幹細胞、骨髄由来間葉系間質細胞、組織プラスチック接着性胎盤幹細胞(PDAC)、臍帯幹細胞、羊水幹細胞、羊膜由来接着細胞(AMDAC)、骨形成性の胎盤接着細胞(OPAC)、脂肪幹細胞、角膜上皮幹細胞、歯髄幹細胞、筋芽細胞、内皮前駆細胞、神経幹細胞、脱落歯由来幹細胞、毛嚢幹細胞、真皮幹細胞、単為生殖由来幹細胞、初期化された幹細胞、羊膜由来接着細胞、又はサイドポピュレーション幹細胞を含むか、又は
(ii) 前記細胞組成物が、分化した細胞を含み、
該分化した細胞が、内皮細胞、上皮細胞、真皮細胞、内胚葉細胞、中胚葉細胞、線維芽細胞、骨細胞、軟骨細胞、ナチュラルキラー細胞、樹状細胞、肝細胞、膵臓細胞、若しくは間質細胞を含むか、又は
該分化した細胞が、唾液腺粘液性細胞、唾液腺漿液性細胞、フォン・エブネル腺細胞、乳腺細胞、涙腺細胞、耳道腺細胞、エクリン汗腺暗調細胞、エクリン汗腺明調細胞、アポクリン汗腺細胞、モル腺細胞、脂腺細胞、ボウマン腺細胞、ブルンネル腺細胞、精嚢細胞、前立腺細胞、尿道球腺細胞、バルトリン腺細胞、リトレ腺細胞、子宮内膜細胞、単離された杯細胞、胃表層粘液細胞、胃腺酵素原細胞、胃腺酸分泌細胞、膵腺房細胞、パネート細胞、II型肺胞上皮細胞、クララ細胞、
成長ホルモン産生細胞、乳腺刺激ホルモン産生細胞、甲状腺刺激ホルモン産生細胞、性腺刺激ホルモン産生細胞、副腎皮質刺激ホルモン産生細胞、下垂体中葉由来の細胞、巨大細胞神経分泌細胞、腸管細胞、気道細胞、甲状腺上皮細胞、傍濾胞細胞、副甲状腺細胞、副甲状腺主細胞、好酸性細胞、副腎腺細胞、クロム親和性細胞、ライディッヒ細胞、内卵胞膜細胞、黄体細胞、顆粒膜黄体細胞、莢膜黄体様細胞、傍糸球体細胞、緻密斑細胞、極周囲細胞、メサンギウム細胞、
血管及びリンパ管内皮有孔細胞、血管及びリンパ管内皮連続型細胞、血管及びリンパ管内皮脾細胞、滑膜細胞、漿膜細胞(腹膜の、胸膜の、及び心膜腔の表層）、扁平上皮細胞、円柱細胞、暗調細胞、前庭膜細胞（耳の内リンパ腔内壁）、血管条基底細胞、血管条周辺細胞（耳の内リンパ腔内壁）、クラウディウス細胞、ベッチェル細胞、脈絡叢細胞、軟膜クモ膜扁平上皮細胞、色素毛様体上皮細胞、非色素毛様体上皮細胞、角膜内皮細胞、栓細胞、
気道線毛細胞、卵管線毛細胞、子宮内膜線毛細胞、精巣網線毛細胞、精巣輸出管線毛細胞、線毛性上衣細胞、
表皮角化細胞、表皮基底細胞、手指爪及び足指爪の角化細胞、爪床基底細胞、毛幹の毛髄質細胞、毛幹の毛皮質細胞、毛幹の毛小皮細胞、毛根の毛小皮鞘細胞、毛根ハックスレー層の鞘細胞、毛根ヘンレ層の鞘細胞、外毛根鞘細胞、毛母細胞、
重層扁平上皮の表面上皮細胞、上皮基底細胞、泌尿器上皮細胞、
耳のコルチ器官の内有毛細胞、耳のコルチ器官の外有毛細胞、嗅上皮基底細胞、冷感受性一次感覚ニューロン、熱感受性一次感覚ニューロン、表皮のメルケル細胞、嗅覚受容体神経、痛み感受性一次感覚ニューロン、光受容体桿体細胞、光受容体青色感受性錐体細胞、光受容体緑色感受性錐体細胞、光受容体赤色感受性錐体細胞、固有受容性一次感覚ニューロン、触覚感受性一次感覚ニューロン、I型頸動脈小体細胞、II型頸動脈小体細胞（血液pHセンサ）、内耳前庭器官のI型有毛細胞（加速度及び重力）、内耳前庭器官のII型有毛細胞、I型味蕾細胞、
コリン作動性神経細胞、アドレナリン作動性神経細胞、ペプチド作動性神経細胞、
コルチ器官の内柱細胞、コルチ器官の外柱細胞、コルチ器官の内指骨細胞、コルチ器官の外指骨細胞、コルチ器官の境界細胞、コルチ器官のヘンゼン細胞、前庭器支持細胞、味蕾支持細胞、嗅上皮支持細胞、シュワン細胞、サテライト細胞、腸内グリア細胞、
星状細胞、ニューロン、希突起膠細胞、紡錘形ニューロン、
前水晶体上皮細胞、クリスタリン含有水晶体線維細胞、
肝細胞、脂肪細胞、白色脂肪細胞、褐色脂肪細胞、肝臓脂肪細胞、
腎臓糸球体壁細胞、腎臓糸球体有足細胞、腎臓近位尿細管刷子縁細胞、ヘンレ係蹄の細い部分の細胞、腎臓遠位尿細管細胞、腎臓集合管細胞、I型肺胞上皮細胞、膵管細胞、非線条導管細胞、導管細胞、腸管刷子縁細胞、外分泌腺線条導管細胞、胆嚢上皮細胞、精巣輸出管非線毛細胞、精巣上体主細胞、精巣上体基底細胞、
エナメル芽細胞上皮細胞、半月面上皮細胞、コルチ器官歯間上皮細胞、疎性結合組織線維芽細胞、角膜実質細胞、腱線維芽細胞、骨髄網状組織線維芽細胞、非上皮性線維芽細胞、周細胞、髄核細胞、セメント芽細胞/セメント細胞、象牙芽細胞、オドントサイト、ヒアリン軟骨細胞、線維軟骨細胞、弾性軟骨細胞、骨芽細胞、骨細胞、破骨細胞、骨前駆細胞、硝子体細胞、星細胞（耳）、肝星細胞（伊東細胞）、膵星細胞、
赤色骨格筋細胞、白色骨格筋細胞、中間体骨格筋細胞、筋紡錘の核袋細胞、筋紡錘の核鎖細胞、サテライト細胞、固有心筋細胞、結節性心筋細胞、プルキンエ線維細胞、平滑筋細胞、虹彩の筋上皮細胞、外分泌腺の筋上皮細胞、
網状赤血球、巨核球、単球、結合組織マクロファージ、表皮ランゲルハンス細胞、樹状細胞、小膠細胞、好中球、好酸球、好塩基球、マスト細胞、ヘルパーT細胞、サプレッサーT細胞、細胞傷害性T細胞、ナチュラルキラーT細胞、B細胞、ナチュラルキラー細胞、
メラニン形成細胞、網膜色素上皮細胞、
卵原細胞/卵母細胞、精子細胞、精母細胞、精原細胞、精子、卵胞細胞、セルトリ細胞、胸腺上皮細胞、及び／又は間質性腎臓細胞である、請求項１〜２９のいずれか一項記載の組成物。
【請求項３６】
前記細胞組成物中の細胞が、初代培養細胞である、請求項１〜３５のいずれか一項記載の組成物。
【請求項３７】
前記細胞組成物中の細胞が、インビトロにおいて培養された細胞である、請求項１〜３６のいずれか一項記載の組成物。
【請求項３８】
前記細胞が、少なくとも1回継代されているか、
前記細胞が、6回以下継代されているか、又は
前記細胞が、前記対象由来の細胞である、請求項３６記載の組成物。
【請求項３９】
前記対象の上又は内の前記表面が、前記沈着を促進するように調製されている、請求項１〜３８のいずれか一項記載の組成物。
【請求項４０】
前記細胞が、該細胞により天然に生成されないタンパク質若しくはポリペプチドを生成するように遺伝子操作されているか、又は該細胞により天然に生成される量よりも多い量でタンパク質若しくはポリペプチドを生成するように遺伝子操作されており、ここで該細胞組成物が、分化した細胞を含有する、請求項１〜３８のいずれか一項記載の組成物。
【請求項４１】
前記タンパク質又はポリペプチドが、サイトカイン又はそれらの活性部分を含むペプチドであり、
前記サイトカインが、アドレノメデュリン(AM)、アンジオポエチン(Ang)、骨形態形成タンパク質(BMP)、脳由来神経栄養因子(BDNF)、上皮細胞増殖因子(EGF)、エリスロポエチン(Epo)、線維芽細胞増殖因子(FGF)、グリア細胞株-由来神経栄養因子(GNDF)、顆粒球コロニー刺激因子(G-CSF)、顆粒球-マクロファージコロニー刺激因子(GM-CSF)、成長分化因子(GDF-9)、肝細胞増殖因子(HGF)、肝細胞癌由来増殖因子(HDGF)、インスリン-様成長因子(IGF)、遊走-刺激因子、ミオスタチン(GDF-8)、骨髄単球性増殖因子(MGF)、神経成長因子(NGF)、胎盤増殖因子(PlGF)、血小板-由来増殖因子(PDGF)、トロンボポエチン(Tpo)、トランスフォーミング増殖因子アルファ(TGF-α)、TGF-β、腫瘍壊死因子アルファ(TNF-α)、血管内皮増殖因子(VEGF)、又はWntタンパク質である、請求項４０記載の組成物。
【請求項４２】
前記細胞の1×106個が、24時間にわたる成長培地におけるインビトロ培養において前記サイトカインを少なくとも1.0〜10μM生成する、請求項４１記載の組成物。
【請求項４３】
前記タンパク質又はポリペプチドが、AM、Ang、BMP、BDNF、EGF、Epo、FGF、GNDF、G-CSF、GM-CSF、GDF-9、HGF、HDGF、IGF、遊走-刺激因子、GDF-8、MGF、NGF、PlGF、PDGF、Tpo、TGF-α、TGF-β、TNF-α、VEGF、又はWntタンパク質の可溶性受容体である、請求項４０記載の組成物。
【請求項４４】
前記細胞の1×106個が、24時間にわたる成長培地におけるインビトロ培養において前記可溶性受容体を少なくとも1.0〜10μM生成する、請求項４３記載の組成物。
【請求項４５】
前記タンパク質が、インターロイキンであり、
該インターロイキンが、インターロイキン-1アルファ(IL-1α)、IL-1β、IL-1F1、IL-1F2、IL-1F3、IL-1F4、IL-1F5、IL-1F6、IL-1F7、IL-1F8、IL-1F9、IL-2、IL-3、IL-4、IL-5、IL-6、IL-7、IL-8、IL-9、IL-10、IL-11、IL-12 35kDaαサブユニット、IL-12 40kDaβサブユニット、IL-12α及びβの両サブユニット、IL-13、IL-14、IL-15、IL-16、IL-17A、IL-17B、IL-17C、IL-17D、IL-17E、IL-17Fアイソフォーム1、IL-17Fアイソフォーム2、IL-18、IL-19、IL-20、IL-21、IL-22、IL-23 p19サブユニット、IL-23 p40サブユニット、IL-23 p19サブユニット及びIL-23 p40サブユニットが一緒に、IL-24、IL-25、IL-26、IL-27B、IL-27-p28、IL-27B及びIL-27-p28が一緒に、IL-28A、IL-28B、IL-29、IL-30、IL-31、IL-32、IL-33、IL-34、IL-35、IL-36α、IL-36β、IL-36γである、請求項４０記載の組成物。
【請求項４６】
前記細胞の1×106個が、24時間にわたる成長培地におけるインビトロ培養において前記インターロイキンを少なくとも1.0〜10μM生成する、請求項４５記載の組成物。
【請求項４７】
前記タンパク質又はポリペプチドが、IL-1α、IL-1β、IL-1F1、IL-1F2、IL-1F3、IL-1F4、IL-1F5、IL-1F6、IL-1F7、IL-1F8、IL-1F9、IL-2、IL-3、IL-4、IL-5、IL-6、IL-7、IL-8、IL-9、IL-10、IL-11、IL-12 35kDaαサブユニット、IL-12 40kDaβサブユニット、IL-13、IL-14、IL-15、IL-16、IL-17A、IL-17B、IL-17C、IL-17D、IL-17E、IL-17F アイソフォーム1、IL-17F アイソフォーム2、IL-18、IL-19、IL-20、IL-21、IL-22、IL-23 p19サブユニット、IL-23 p40サブユニット、IL-24、IL-25、IL-26、IL-27B、IL-27-p28、IL-28A、IL-28B、IL-29、IL-30、IL-31、IL-32、IL-33、IL-34、IL-35、IL-36α、IL-36β、IL-36γの可溶性受容体である、請求項４０記載の組成物。
【請求項４８】
前記細胞の1×106個が、24時間にわたる成長培地におけるインビトロ培養において前記可溶性受容体を少なくとも1.0〜10μM生成する、請求項４７記載の組成物。
【請求項４９】
前記タンパク質が、インターフェロン(IFN)であり、
該インターフェロンが、IFN-α、IFN-β、IFN-γ、IFN-λ1、IFN-λ2、IFN-λ3、IFN-K、IFN-ε、IFN-κ、IFN-τ、IFN-δ、IFN-ζ、IFN-ω、又はIFN-νである、請求項４０記載の組成物。
【請求項５０】
前記細胞の1×106個が、24時間にわたる成長培地におけるインビトロ培養において前記インターフェロンを少なくとも1.0〜10μM生成する、請求項４９記載の組成物。
【請求項５１】
前記タンパク質又はポリペプチドが、IFN-α、IFN-β、IFN-γ、IFN-λ1、IFN-λ2、IFN-λ3、IFN-K、IFN-ε、IFN-κ、IFN-τ、IFN-δ、IFN-ζ、IFN-ω、又はIFN-νの可溶性受容体である、請求項４０記載の組成物。
【請求項５２】
前記細胞の1×106個が、24時間にわたる成長培地におけるインビトロ培養において前記可溶性受容体を少なくとも1.0〜10μM生成する、請求項５１記載の組成物。
【請求項５３】
前記タンパク質が、インスリン又はプロインスリンである、請求項４０記載の組成物。
【請求項５４】
前記細胞の1×106個が、24時間にわたる成長培地におけるインビトロ培養において前記タンパク質を少なくとも1.0〜10μM生成する、請求項５３記載の組成物。
【請求項５５】
前記タンパク質が、インスリン受容体である、請求項４０記載の組成物。
【請求項５６】
前記細胞が、プロホルモン転換酵素1、プロホルモン転換酵素2、又はカルボキシペプチダーゼEの1種以上を生成するよう、追加的に遺伝子操作されている、請求項５４又は５５記載の組成物。
【請求項５７】
前記タンパク質が、レプチン(LEP)であるか、
前記タンパク質が、エリスロポエチンであるか、
前記タンパク質が、トロンボポエチンであるか、又は
前記タンパク質が、チロシン3-モノオキシゲナーゼである、請求項４０記載の組成物。
【請求項５８】
前記タンパク質が、レプチン(LEP)であり、
前記細胞の1×106個が、24時間にわたる成長培地におけるインビトロ培養において前記タンパク質を少なくとも1.0〜10μM生成する、請求項５７記載の組成物。
【請求項５９】
前記タンパク質が、エリスロポエチンであり、
前記細胞の1×106個が、24時間にわたる成長培地におけるインビトロ培養において前記タンパク質を少なくとも1.0〜10μM生成する、請求項５７記載の組成物。
【請求項６０】
前記タンパク質が、トロンボポエチンであり、
前記細胞の1×106個が、24時間にわたる成長培地におけるインビトロ培養において前記タンパク質を少なくとも1.0〜10μM生成する、請求項５７記載の組成物。
【請求項６１】
前記タンパク質が、チロシン3-モノオキシゲナーゼであり、
前記細胞の1×106個が、24時間にわたる成長培地におけるインビトロ培養において前記タンパク質を少なくとも1.0〜10μM生成する、請求項５７記載の組成物。
【請求項６２】
前記細胞が、芳香族L-アミノ酸デカルボキシラーゼを発現するように、更に操作される、請求項６１記載の組成物。
【請求項６３】
前記細胞の1×106個が、24時間にわたる成長培地におけるインビトロ培養において前記芳香族L-アミノ酸デカルボキシラーゼを少なくとも1.0〜10μM生成する、請求項６２記載の組成物。
【請求項６４】
前記タンパク質が、ホルモン又はプロホルモンであり、
該ホルモンが、抗ミュラー管ホルモン(AMH)、アジポネクチン(Acrp30)、副腎皮質刺激ホルモン(ACTH)、アンジオテンシン(AGT)、アンジオテンシノゲン(AGT)、抗利尿ホルモン(ADH)、バゾプレシン、心房性ナトリウム利尿ペプチド(ANP)、カルシトニン(CT)、コレシストキニン(CCK)、コルチコトロピン放出ホルモン(CRH)、エリスロポエチン(Epo)、卵胞刺激ホルモン(FSH)、テストステロン、エストロゲン、ガストリン(GRP)、グレリン、グルカゴン(GCG)、ゴナドトロピン放出ホルモン(GnRH)、成長ホルモン(GH)、成長ホルモン放出ホルモン(GHRH)、ヒト絨毛性ゴナドトロピン(hCG)、ヒト胎盤性ラクトゲン(HPL)、インヒビン、黄体形成ホルモン(LH)、メラニン細胞刺激ホルモン(MSH)、オレキシン、オキシトシン(OXT)、副甲状腺ホルモン(PTH)、プロラクチン(PRL)、レラキシン(RLN)、セクレチン(SCT)、ソマトスタチン(SRIF)、トロンボポエチン(Tpo)、甲状腺刺激ホルモン(Tsh)、及び／又は甲状腺刺激ホルモン放出ホルモン(TRH)である、請求項４０記載の組成物。
【請求項６５】
前記タンパク質が、シトクロムP450側鎖切断酵素(P450SCC)である、請求項４０記載の組成物。
【請求項６６】
前記タンパク質が、遺伝的障害又は疾患を有する対象において喪失されている又は機能不全であるタンパク質である、請求項６５記載の組成物。
【請求項６７】
前記遺伝疾患が、家族性高コレステロール血症であり、及び前記タンパク質が、低密度リポタンパク受容体(LDLR)であるか；
前記遺伝疾患が、多嚢胞腎疾患であり、及び前記タンパク質が、ポリシスチン-1(PKD1)、PKD-2又はPKD3であるか；又は
前記遺伝疾患が、フェニルケトン尿症であり、及び前記タンパク質が、フェニルアラニン水酸化酵素である、請求項６６記載の組成物。
【請求項６８】
前記表面が、前記印刷前に、生体分子を含有する組成物を該表面上へ沈着させることにより調製される、請求項１記載の組成物。
【請求項６９】
前記生体分子が、コラーゲン型、フィブロネクチン型、ラミニン型又は組織接着剤であるか又はこれらを含む、請求項６８記載の組成物。
【請求項７０】
前記表面が、脱細胞化された組織で該表面の全体又は一部を被覆することにより、調製される、請求項１記載の組成物。
【請求項７１】
前記脱細胞化された組織が、脱細胞化された羊膜、脱細胞化された横隔膜、脱細胞化された皮膚、又は脱細胞化された筋膜である、請求項７０記載の組成物。
【請求項７２】
前記表面が、前記対象における心臓、血管、皮膚、肝臓、膵臓、肺、腎臓、甲状腺、腸の切片、胃、気管、食道、又は十二指腸の表面である、請求項１〜７１のいずれか一項記載の組成物。
【請求項７３】
前記表面が、損傷を受けた皮膚である、請求項１〜７１のいずれか一項記載の組成物。
【請求項７４】
前記皮膚が、火傷により損傷を受けている、請求項７３記載の組成物。
【請求項７５】
前記細胞組成物が、上皮細胞を含有するか、
前記細胞組成物が、真皮細胞を含有するか、又は
前記細胞組成物が、間葉系幹細胞を含有する、請求項７３又は７４記載の組成物。
【請求項７６】
前記少なくとも1種の細胞組成物が、上皮細胞を含有する第一の細胞組成物、真皮細胞を含有する第二の細胞組成物、及び間葉系幹細胞を含有する第三の細胞組成物を含む、請求項７３又は７４記載の組成物。
【請求項７７】
前記組成物が、(a) 前記表面上への前記間葉系幹細胞の第一の印刷、次に、(b) 該表面上への前記真皮細胞の印刷、次に、(c) 該表面上への前記上皮細胞の印刷を含むか、又は
前記組成物が、(a) 前記表面上への前記真皮細胞の第一の印刷、次に、(b) 該表面上への前記上皮細胞の印刷を含む、請求項７６記載の組成物。
【請求項７８】
2つ以上の印刷経路において、前記第一の細胞組成物、前記第二の細胞組成物及び／又は前記第三の細胞組成物を印刷することを含む、請求項７６記載の組成物。
【請求項７９】
前記表面と前記第一の細胞組成物との間；前記第一の細胞組成物と前記第二の細胞組成物との間；前記第二の細胞組成物と前記第三の細胞組成物との間；又はそれらの任意の組合せに、ECMを沈着させることを含む、請求項７３〜７８のいずれか一項記載の組成物。
【請求項８０】
前記上皮細胞及び前記真皮細胞；前記真皮細胞及び前記間葉系幹細胞；又は、前記上皮細胞、前記真皮細胞、及び前記間葉系幹細胞が、同じ細胞組成物内に含まれている、請求項７９記載の組成物。
【請求項８１】
前記表面が、前記対象における腎臓の表面である、請求項１〜７１のいずれか一項記載の組成物。
【請求項８２】
前記細胞組成物が、実質細胞の少なくとも1つの型及び間質細胞の1つの型を含む、請求項８１記載の組成物。
【請求項８３】
前記実質細胞の1つの型及び前記間質細胞の1つの型が、自家又は同種の腎臓組織から脱凝集された腎臓細胞の集団中に存在する、請求項８２記載の組成物。
【請求項８４】
前記間質細胞の少なくとも1つの型が、間葉系幹細胞であるか、
前記間質細胞の少なくとも1つの型が、骨髄-由来間葉系幹細胞であるか、又は
前記間質細胞の少なくとも1つの型が、組織培養プラスチック-接着性CD34-、CD10+、CD105+、CD200+胎盤幹細胞である、請求項８２又は８３記載の組成物。
【請求項８５】
前記表面を含む前記腎臓の少なくとも一部が、損傷を受けたか又は機能不全である、請求項８１記載の組成物。
【請求項８６】
前記腎臓の損傷を受けたか又は機能不全である表面を分析し、該損傷を受けたか又は機能不全である表面中の腎臓細胞の型を決定すること、並びに該表面上に同じ型の細胞を沈着させることを含む、請求項８１記載の組成物。
【請求項８７】
前記損傷を受けたか又は機能不全である腎臓が、該損傷を受けたか又は機能不全である部分を除去するように、外科的に代替される、請求項８６記載の組成物。
【請求項８８】
前記表面が、前記外科的代替後に残存する前記腎臓の表面である、請求項８７記載の組成物。
【請求項８９】
前記表面を含む組織又は器官の標準化されたコンピュータモデルに従う少なくとも一部に、前記細胞組成物及び／又は前記ECMを沈着させることを含む、請求項１〜１２のいずれか一項記載の組成物。
【請求項９０】
前記表面の走査から得られたデータに従い、前記細胞組成物及び／又は前記ECMを沈着させることを追加的に含む、請求項８９記載の組成物。
【請求項９１】
前記表面の前記走査が、コンピュータ支援断層撮影法、磁気共鳴画像法、電子線、又はx-線により得られる、請求項９０記載の組成物。
【請求項９２】
前記表面の前記走査が、少なくとも100ミクロンの解像度であるか、又は
前記表面の前記走査が、少なくとも1ミクロンの解像度である、請求項９１記載の組成物。
【請求項９３】
前記沈着が、腹腔鏡下で実行されるか、
前記沈着が、エアロゾル化により達成されるか、
前記沈着が、噴霧により達成されるか、
前記沈着が、印刷により達成されるか、又は
前記沈着が、インクジェットプリンティングにより達成される、請求項１〜９２のいずれか一項記載の組成物。
【請求項９４】
前記沈着が、インクジェットプリンティングにより達成され、
該インクジェットプリンティングが、複数のプリントヘッド又は複数のプリントジェットを備えるプリンターを使用し、実行される、請求項９３記載の組成物。
【請求項９５】
前記複数のプリントヘッド又はプリントジェットの各々が、個別に制御可能であるか、
前記プリントヘッド又はプリントジェットの各々が、残りのプリントヘッド又はプリントジェットとは独立して作動するか、又は
前記複数のプリントヘッド又はプリントジェットの少なくとも1個が、前記細胞組成物を印刷し、並びに他の該複数のプリントヘッド又はプリントジェットの少なくとも1個が基板を印刷する、請求項９４記載の組成物。
【請求項９６】
前記合成ポリマーが、前記ECM及び前記細胞組成物を物理的に支持する様式で、沈着される、請求項１６記載の組成物。
【請求項９７】
前記合成ポリマーが、前記組織内の一連のファイバーとして沈着される、請求項１６記載の組成物。
【請求項９８】
前記合成ポリマーが、2回以上沈着され、且つ該2回以上のうちの少なくとも1回は、残りの回(複数)と比べ、異なる方向に沈着されるか、又は
前記合成ポリマーが、2回以上沈着され、且つ該2回以上の各回は異なる方向に沈着される、請求項９７記載の組成物。
【請求項９９】
前記表面が、皮膚、表皮、又は真皮ではない、請求項１記載の組成物。